【手続補正書】
【提出日】平成15年8月6日(2003.8.6)
【手続補正１】
【補正対象書類名】明細書
【補正対象項目名】全文
【補正方法】変更
【補正の内容】
【発明の名称】レンガ支持体、該レンガ支持体で形成された壁及び該レンガ支持体を形成する方法
【特許請求の範囲】
【請求項１】壁を形成する複数のレンガまたはタイルを支持するためのシートからなるレンガ支持体であって、
前記シートが、横方向に間隔を置いて配設された複数の略平行なリブを有し、
該リブが、不均一な横断面を有しかつ皿状部分により分離されており、
更に、前記リブが、隣接する前記皿状部分から外方に向けて突出するように形成された軸部と、複数個の前記レンガまたはタイルの前記シートへの係止を補助するための係合部分とを有しており、
各リブの前記係合部分が、その伸長方向に沿って離間配置されていると同時に該隣接リブ間に配置される前記レンガまたはタイルを係止するために、他の隣接するリブ向けて前記軸部を横方向に越えて突出していることを特徴とするレンガ支持体。
【請求項２】前記リブが、前記皿状部分に溜まるモルタルに含まれる水分を排出するための傾斜部分を備えていることを特徴とする請求項１に記載のレンガ支持体。
【請求項３】前記リブが、伸長方向に沿った拡大部分で終端しており、そして該拡大部分が前記係合部を形成するために塑性変形されていることを特徴とする請求項２に記載のレンガ支持体。
【請求項４】各リブの前記係合部が、該リブ上をその伸長方向に沿って間隔を置いて交互方向に突出するように折り曲げられたピークで形成されていることを特徴とする請求項３に記載のレンガ支持体。
【請求項５】さらに、隣接する前記リブの間に略長手方向にかつ互いに平行に延在する細長い縦溝が前記皿状部分に形成されていることを特徴とする請求項１に記載のレンガ支持体。
【請求項６】請求項１ないし５のうちのいずれか１項に記載のレンガ支持体で形成された壁であって、
前記リブ間に配置された複数のレンガまたはタイルと、該レンガまたはタイルと前記支持シートとの間に塗布されるモルタルとから成り、
そして前記リブが、モルタルを固めながらレンガまたはタイルを所定位置に保持するために、レンガまたはタイルと押圧支持すべく弾性変形されることを特徴とする壁。
【請求項７】壁を形成するために複数のレンガまたはタイルを支持するためのシートからなるレンガ支持体を形成する方法であって、
該シートが複数の略平行な横方向に間隔が置かれた不均一な横断面を有するリブを設けるために圧延され、
そしてリブの伸長方向に沿って離間した位置に交互方向に突出するように折り曲げて係合部を形成するために、前記リブを塑性変形し、
前記係合部が隣接する該リブ間に位置付けられたレンガまたはタイルを係止可能な形に折り曲げたことを特徴とするレンガ支持体形成方法。
【請求項８】前記リブが前記横方向に突出する前記係合部を設けるために、長手方向に間隔を置いた位置において収縮されていることを特徴とする請求項７に記載のレンガ支持体形成方法。
【請求項９】前記リブをその伸長方向に沿って間隔を置いて交互方向に突出するように折り曲げられたピークで前記係合部を形成するために、該リブを塑性変形する工程を含むことを特徴とする請求項８に記載のレンガ支持体形成方法。
【発明の詳細な説明】
【０００１】
【発明の属する技術分野】
本発明はレンガ配列用支持体または裏張りに関する。レンガ配列は代表的には建造物用外装または外装材であっても良い。本発明は壁を形成する複数のレンガまたはタイルを支持するためのシートからなるレンガ支持体に関する。本発明はまた、該レンガ支持体で形成された壁、および該レンガ支持体の形成方法に関する。
【０００２】
【従来の技術】
レンガ外装のモルタルとの機械的な結合または相互錠止係合を設けるために穴または耳片を形成した被覆鋼シートからなるレンガ支持装置を設けることは知られている。
【０００３】
【発明が解決しようとする課題】
メッキされたシートのごとき金属被覆シートはその経済性および強度のためその用途に理想的に適合させられるが知られている問題点はシート上においてまたはそれに隣接して維持される水分の蓄積がある場合に、またはシートが時折水分と接触しかつ多数の切断縁部を有する場合に発生する腐食である。結合のために形成される穴または耳片はかかる多数の縁部を備えかつかくして腐食の問題を生起する。
【０００４】
本発明の目的は上述した欠点を克服または実質上改善することである。
【０００５】
【課題を解決するための手段】
本発明によれば上記目的は、前記シートが、横方向に間隔を置いて配設された複数の略平行なリブを有し、該リブが、不均一な横断面を有しかつ皿状部分により分離されており、更に、前記リブが、隣接する前記皿状部分から外方に向けて突出するように形成された軸部と、複数個の前記レンガまたはタイルの前記シートへの係止を補助するための係合部分とを有しており、各リブの前記係合部分が、その伸長方向に沿って離間配置されていると同時に該隣接リブ間に配置される前記レンガまたはタイルを係止するために他の隣接するリブ向けて前記軸部を横方向に越えて突出していることを特徴とするレンガ支持体を提供することにより解決される。
また、上記目的は、前記リブ間に配置された複数のレンガまたはタイルと、該レンガまたはタイルと前記支持シートとの間に塗布されるモルタルとから成り、そして前記リブが、モルタルを固めながらレンガまたはタイルを所定位置に保持するために、レンガまたはタイルと押圧支持すべく弾性変形されることを特徴とする壁を提供することによっても解決される。
【０００６】
金属シートは好ましくは保護的に被覆された鋼シート、最も好ましくは金属被覆鋼シートである。１または複数のリブを形成するためのシートの成形は、好ましくは、圧延成形作業で行われる。
【０００７】
その、または、各リブは断面で見て、リブが両側で切り込まれた拡大頭部を有するようにリブにより分離されるそれぞれの皿状部分の縁部でリブの両側に沿って延びるそれぞれの内曲凹所を有する。シート材料は好ましくは皿状部分およびリブを画成する面と反対のシートの面に開放されるキヤビテイを制限するように各凹所のまわりでかつこの頭部のまわりで滑らかに屈曲する。
【０００８】
リブは好ましくは断面において屈曲した蟻溝状からなる。
【０００９】
好都合には、リブは前記凹所の一方または両方から排出開口を設けかつ凹所の隣接した領域の水分の蓄積を阻止するように再び成形される１またはそれ以上の領域を含んでいる。この領域は、例えば、リブの長手方向に延在する部分を収縮させることにより設けられても良い。
【００１０】
皿状部分の各々は好ましくは該皿状部分上に均一なモルタル壁の形成を容易にするために１またはそれ以上の直立して長手方向に延びる縦溝または縦溝部分を備えている。
【００１１】
好都合には、リブは内部切断縁部がないか実質上ないように、かつそれゆえ開口、スリツトまたはプレスされた突出シート部分がないように形成される。リブは好ましくはレンガの幅より僅かに大きい間隔により引き離される。
【００１２】
本発明はまた、本発明による複数の支持体上にモルタルにより保持されるレンガ配列に敷衍する。
【００１３】
さらに本発明では、壁を形成するために複数のレンガまたはタイルを支持するためのシートからなるレンガ支持体を形成し、該シートが複数の略平行な横方向に間隔が置かれた不均一な横断面を有するリブを設けるために圧延され、そしてリブの伸長方向に沿って離間した位置に交互方向に突出するように折り曲げて係合部を形成するために、前記リブを塑性変形し、前記係合部が隣接する該リブ間に位置付けられたレンガまたはタイルを係止可能な形に折り曲げたことを特徴とするレンガ支持体形成方法を提供することによっても解決される。
【００１４】
以下添付図面を参照して、本発明を、例として示された実施の形態に従って説明される。
【００１５】
【発明の実施の形態】
図１ないし図３に示されるように、モルタル付きレンガ外装１１用の支持装置１０が多数の重ね合わされた金属被覆鋼製の支持シート１２から形成される。十分な強度を設けるような規格または仕様のメッキされた鋼板または亜鉛アルミシートが適する。シートは最初平らであるが、図２に示される断面に冷圧延成形される。
【００１６】
かくして圧延された支持シート１２は１側で不均一な横断面において対称な屈曲した蟻溝状の多数の平行に長手方向に突出するリブを形成する。これらのリブ１３はそれぞれの皿状部分１４により分離されており、該皿状部分は順次圧延成形作業においてリブ１３に対して平行に延びかつ横断面においてＶ形状である突出する連続縦溝１５を備えている。
【００１７】
上記した形状のために、リブ１３は該リブの両側に沿って延在するそれぞれの内曲凹所１８を画成する。これらの凹所は皿状部分１４の縁部を画成しておりかつ鋼シートにリブ１３を蟻溝状に成形することにより、各リブの皿状部分１４およびリブ１３を突出形成した面と反対側の支持シート裏面１７において拡開された内部キヤビテイ１６を画成していることが理解される。
【００１８】
それらの最も幅広い点において、リブ１３は装置に支持される隣接するレンガ列の離間々隔の平均幅より僅かに長い距離だけ離される。レンガ外装を形成するために、多数の支持シート１２は直立のフレーム（図示せず）に固定されそしてレンガ１８のコースは、図２に示されるごとく、皿状部分１４にかつリブ１３を覆って塗り付けられたモルタル壁１９の皿状部分の上に埋め込まれる。他方、これらのシートは符号２０で示されたように縁部が互いに重ね合わされる。リブ１３の屈曲蟻溝状断面および内曲凹所１８の存在は支持シート１２とモルタル壁１９との間の堅実な機械的結合または錠止係合を容易にする。内曲凹所１５は均一なモルタル壁の形成及びレンガ外装とモルタルとの間の強力な化学的結合を容易にするためのスペーサ縦溝として役立つ。
【００１９】
図２から理解されることは、各リブ１３の上方に位置する内曲凹所１５が塗布時にまたはその後の使用時におけるモルタル中に存在する過剰な水分用トラツプとして作用するということである。凹所内のかかる水分の蓄積の回避を保証し、かつトラツプされた水分をモルタル壁を通して排出させるために、リブ１３はそれらの長さに沿って規則的な間隔を置いて長手方向に収縮領域２１を延在させ、そのさい蟻溝状部分の両方の内曲凹所１８を順次押し広げてリブ１３の各側面を平面に成し、各凹所のシート面から立ち上がる傾斜したシート部分２２に変形されている。これらの収縮領域２１はそれにより凹所からの排出出口を形成する。収縮領域２１はその両端に位置する収縮部分の中間点に水分が蓄積されないように十分に短い長さに作られる。
【００２０】
理解されることは、例示実施例は、露出された内部切断エッジ、すなわちシートの本体内に切断縁部を形成することなく、モルタル下塗りおよびスペーサ縦溝および水分蓄積防止手段を備えている。支持シート１２中にこのような切断縁部が存在しないのは、開口またはスリツト或いは耳片（タブ）またはシートからプレスされる他の如何なる突起もないためである。
【００２１】
図４ないし図６において、別個のレンガまたはタイル４２を含むレンガ外装４１用支持装置４０が略示される。例えば、レンガ４２は表面部分のみにすることができる。
【００２２】
装置４０は重なり合い部分４４において互いに側縁部が重なり合った圧延シート４３を含んでいる。各シート４３は複数の略水平に延びるリブ４５を備えている。各リブ４５は拡大部分４７で終端する軸部４６を含んでいる。各リブ４５は材料が左右のシート４３に落ち込む２つの部分で中空領域を画成しており、シート４３を形成する過程においてリブの部分自体は後方に屈曲される。隣接したリブ４５間に延びるのは各レンガまたはタイル４２を受容し得る皿状区域４８である。各皿状区域４８は長手方向に延びる縦溝４９を備えている。
【００２３】
支持装置４０を成形する過程において、シート４３が最初に成形されるとき、リブ４５は真っ直ぐである。しかしながら、リブ４５は一連のピーク５０および５１が形成されるように横方向に偏向されるように塑性変形される。図５および図６に示されるように、シート４３が建物壁の１部分として略垂直方向に固定されるとき、一方のピーク５０は略下方に突出し、他方のピーク５１は略上方に突出するようになっている。
【００２４】
隣接するリブ４５のピーク５０と５１との間の距離はレンガまたはタイル４２の幅５２に等しいかまたはそれより僅かに小さく、そのようにするとレンガまたはタイル４２はこれらが所定位置に保持され、一方モルタル５５は、弾性変形されたリブの押圧接触により所定位置に保持されたレンガまたはタイル４２をシート４３の残りの部分と一緒に硬化することで固定する。
【００２５】
縦溝４９はレンガまたはタイル４２の正確な位置決めを行うために設けられており、かつまたモルタル５５の層を均一に形成することを助ける。ピーク５０および５１の整列は、またレンガまたはタイル４２を整列することを助ける。
【００２６】
ピーク５０および５１を形成するためのリブ４５の変形により傾斜部分５３が形成され、このことにより皿状部分５４から水分を排出することが可能となるので、腐食に関連付けられるあらゆる問題を改善する。
【００２７】
シート４３を形成する際に、全体的に平らなシート材料はリブ４５が形成されるように圧延される。好ましくは、縦溝４９は同時に形成される。その後、リブ４５がピーク５０および５１および部分５３を形成するために横方向に塑性変形される。
【００２８】
【発明の効果】
叙上のごとく、本発明は、壁を形成する複数のレンガまたはタイルを支持するためのシートからなるレンガ支持体であって、前記シートが、横方向に間隔を置いて配設された複数の略平行なリブを有し、該リブが、不均一な横断面を有しかつ皿状部分により分離されており、更に、前記リブが、隣接する前記皿状部分から外方に向けて突出するように形成された軸部と、複数個の前記レンガまたはタイルの前記シートへの係止を補助するための係合部分とを有しており、各リブの前記係合部分が、その伸長方向に沿って離間配置されていると同時に該隣接リブ間に配置される前記レンガまたはタイルを係止するために、他の隣接するリブ向けて前記軸部を横方向に越えて突出している構成としたので、水分による腐食の問題を生じないレンガ支持体を提供することができる。
【図面の簡単な説明】
【図１】本発明の実施例によるレンガ支持体を各々形成する２枚の同様な、重なり合った金属被覆鋼シートを示す斜視図である。
【図２】それぞれ排出領域間でかつそれらにおいて、モルタル付きレンガ外装による現場でのレンガ支持体を示す部分垂直断面図である。
【図３】それぞれ排出領域間でかつそれらにおいて、モルタル付きレンガ外装による現場でのレンガ支持体を示す部分垂直断面図である。
【図４】本発明のさらに他の実施例によるレンガ支持体を各々形成するさらに他の２つの同様な、重なり合った金属被覆鋼シートを示す斜視図である。
【図５】図４のレンガおよび支持体を示す部分垂直断面図である。
【図６】図４のレンガおよび支持体を示す部分垂直断面図である。
【符号の説明】
１０  支持装置
１１  モルタル付きレンガ外装
１２  圧延シート
１３  長手方向に延びる突出リブ
１４  皿状部分
１５  内曲凹所（縦溝）
１８  レンガ
１９  モルタル壁
２１  収縮領域
２２  傾斜シート部分
４０  支持装置
４１  レンガ外装
４２  レンガまたはタイル
４３  シート
４４  重なり合い部分
４５  水平に延びるリブ
４７  拡大部分
４８  皿状区域
４９  縦溝
５０  ピーク
５１  ピーク
５３  傾斜部分
５４  皿状部分
５５  モルタル